(57)【要約】【課題】居住者に最適な快適感を与えるように、時間的及び空間的にバランスのとれた暖房の運転制御を行うことができる暖房システムの運転制御装置を提供する。【解決手段】建物１の床下空間４に放熱して間接的に床上空間５を暖房する床下暖房手段、及び床上空間５に直接放熱して暖房する床上暖房手段としてのエアコンディショナの屋内機３を備えた暖房システムの運転制御装置であって、床上空間５内の温度を検知する温度センサー１２と、エアコンディショナの屋内機３の床下暖房手段と床上暖房手段との放熱量を調整可能な制御手段としての中央制御装置１１とを備えた構成とされている。【選択図】図１
2011012933.tif 000002
【特許請求の範囲】
【請求項１】
建物の床下空間に放熱して間接的に床上空間を暖房する床下暖房手段と、前記建物の前記床上空間に直接放熱して暖房する床上暖房手段とを備えた暖房システムの運転制御装置であって、
前記床上空間内の温度を検知する温度センサーと、前記床下暖房手段と前記床上暖房手段との放熱量を調整可能な制御手段とを備えており、
前記床上空間の目標温度値が前記制御手段に入力されると、前記制御手段は、前記温度センサーにより検知した前記床上空間の温度に基づいて、前記床下暖房手段と前記床上暖房手段とを、所定の放熱量に調整して稼動させて、前記床上空間が略前記目標温度値となる制御を行うことを特徴とする暖房システムの運転制御装置。
【請求項２】
前記暖房システムにおける前記床下暖房手段と前記床上暖房手段との放熱量は、初めに前記床上暖房手段による放熱量を、前記床下暖房手段による放熱量より大きくし、徐々に上昇する前記温度センサーにより検知した前記床上空間の温度に基づいて、前記床上暖房手段による放熱量を小さくしていくとともに、前記床下暖房手段による放熱量を大きくしていく制御を行うことを特徴とする請求項１に記載の暖房システムの運転制御装置。
【請求項３】
前記制御手段は、目標時刻を入力すると、該目標時刻において、前記床上空間が略前記目標温度値となる制御を行うことを特徴とする請求項１又は２に記載の暖房システムの運転制御装置。
【請求項４】
請求項１乃至３のいずれか１項に記載の暖房システムの運転制御装置を備えていることを特徴とする暖房システム。
【請求項５】
請求項４に記載の暖房システムを備えていることを特徴とする建物。
【発明の詳細な説明】
【技術分野】
【０００１】
本発明は、建物における暖房システムの運転制御装置、この運転制御装置を備えた暖房システム、及びこの暖房システムを備えた建物に関するものである。
【背景技術】
【０００２】
従来から、建物の床下空間を利用した暖房システムが知られている（例えば、特許文献１，２などを参照）。
【先行技術文献】
【特許文献】
【０００３】
【特許文献１】特開２００６−３１３０４１号公報
【特許文献２】特開２００７−０５１８５９号公報
【発明の概要】
【発明が解決しようとする課題】
【０００４】
しかしながら、これら従来の暖房システムでは、いずれも、空調装置の吹出部が床下空間内にあるため、暖房運転時において、床上空間を均一にムラなく暖めるとともに、頭寒足熱の快適な環境を実現できるという床下暖房の長所は有するものの、床上空間を素早く暖める即効性を欠いていた。
【０００５】
また、これら従来の暖房システムでは、こうした構造上、床下空間に放熱して間接的に床上空間を暖房する床下暖房と床上空間に直接放熱して暖房する床上暖房とを、居住者に最適な快適感を与えるように、時間的及び空間的にバランスのとれた暖房の運転制御を行うことができなかった。
【０００６】
さらに、床上空間内に、この床上暖房を行う空調装置が別途あっても、床下暖房と床上暖房とを、居住者に最適な快適感を与えるように、時間的及び空間的にバランスのとれた暖房の運転制御を行う従来技術は見聞されない。
【０００７】
そこで、本発明は、居住者に最適な快適感を与えるように、時間的及び空間的にバランスのとれた暖房の運転制御を行うことができる暖房システムの運転制御装置、この運転制御装置を備えた暖房システム、及びこの暖房システムを備えた建物を提供することを目的としている。
【課題を解決するための手段】
【０００８】
前記目的を達成するために、本発明の暖房システムの運転制御装置は、建物の床下空間に放熱して間接的に床上空間を暖房する床下暖房手段と、前記建物の前記床上空間に直接放熱して暖房する床上暖房手段とを備えた暖房システムの運転制御装置であって、前記床上空間内の温度を検知する温度センサーと、前記床下暖房手段と前記床上暖房手段との放熱量を調整可能な制御手段とを備えており、前記床上空間の目標温度値が前記制御手段に入力されると、前記制御手段は、前記温度センサーにより検知した前記床上空間の温度に基づいて、前記床下暖房手段と前記床上暖房手段とを、所定の放熱量に調整して稼動させて、前記床上空間が略前記目標温度値となる制御を行うことを特徴とする。
【０００９】
ここで、前記暖房システムにおける前記床下暖房手段と前記床上暖房手段との放熱量は、初めに前記床上暖房手段による放熱量を、前記床下暖房手段による放熱量より大きくし、徐々に上昇する前記温度センサーにより検知した前記床上空間の温度に基づいて、前記床上暖房手段による放熱量を小さくしていくとともに、前記床下暖房手段による放熱量を大きくしていく制御を行うとよい。
【００１０】
また、前記制御手段は、目標時刻を入力すると、該目標時刻において、前記床上空間が略前記目標温度値となる制御を行うとよい。
【００１１】
本発明の暖房システムは、上記した暖房システムの運転制御装置を備えていることを特徴とする。
【００１２】
本発明の建物は、上記した暖房システムを備えていることを特徴とする。
【発明の効果】
【００１３】
このような本発明の暖房システムの運転制御装置は、建物の床下空間に放熱して間接的に床上空間を暖房する床下暖房手段と、建物の床上空間に直接放熱して暖房する床上暖房手段とを備えた暖房システムの運転制御装置であって、床上空間内の温度を検知する温度センサーと、床下暖房手段と床上暖房手段との放熱量を調整可能な制御手段とを備えている。
【００１４】
そして、床上空間の目標温度値が制御手段に入力されると、制御手段は、温度センサーにより検知した床上空間の温度に基づいて、床下暖房手段と床上暖房手段とを、所定の放熱量に調整して稼動させて、床上空間が略目標温度値となる制御を行う構成とされている。
【００１５】
このような構成なので、床上空間が目標温度値になるまでの間、無駄なエネルギー消費を抑えたうえで、居住者に最適な快適感を与えるように、時間的及び空間的にバランスのとれた暖房の運転制御を行うことができる。
【００１６】
ここで、暖房システムにおける床下暖房手段と床上暖房手段との放熱量は、初めに床上暖房手段による放熱量を、床下暖房手段による放熱量より大きくし、徐々に上昇する温度センサーにより検知した床上空間の温度に基づいて、床上暖房手段による放熱量を小さくしていくとともに、床下暖房手段による放熱量を大きくしていく制御を行う場合は、上記した時間的及び空間的にバランスのとれた暖房の運転制御を、より効率的に行うことができる。
【００１７】
また、制御手段は、目標時刻を入力すると、この目標時刻において、床上空間が略目標温度値となる制御を行う場合は、所望の目標時刻に、床上空間を、居住者にとって最適な環境とすることができる。
【００１８】
このような本発明の暖房システムは、本発明の暖房システムの運転制御装置を備えた構成とされているので、上記したように、時間的及び空間的にバランスのとれた暖房の運転制御が行える暖房システムとすることができる。
【００１９】
このような本発明の建物は、本発明の暖房システムを備えた構成とされているので、上記したように、居住者に最適な快適感を与えるように、時間的及び空間的にバランスのとれた暖房が行える建物とすることができる。
【図面の簡単な説明】
【００２０】
【図１】実施例１の暖房システムを備えた建物の概略構成を説明する説明図である。
【図２】実施例１の暖房システムの運転制御装置を説明するためのブロック図である。
【図３】実施例１の暖房システムにおいて、床下暖房を行った状態を示す説明図である。
【図４】実施例１の暖房システムにおいて、床上暖房を行った状態を示す説明図である。
【図５】実施例１の暖房システムにおいて、床上暖房及び床下暖房の両方を行った状態を示す説明図である。
【図６】実施例１の暖房システムの運転制御装置による運転制御などを実施したときのシミュレーションにおいて、時間と床上空間の温度及び床部の温度との関係を示すグラフである。
【図７】実施例１の暖房システムの運転制御装置による運転制御の具体例を示す流れ図である。
【図８】実施例２の暖房システムを備えた建物の概略構成を説明する説明図である。
【図９】実施例２の暖房システムにおいて、暖房を行った状態を示す説明図である。
【図１０】実施例３の暖房システムを備えた建物の概略構成を平面視で示す説明図である。
【図１１】実施例４の暖房システムを備えた建物の概略構成を説明する説明図である。
【図１２】実施例５の暖房システムを備えた建物の概略構成を説明する説明図である。
【発明を実施するための形態】
【００２１】
以下、本発明を実施するための形態を、図面に示す実施例１〜５に基づいて説明する。
【実施例１】
【００２２】
先ず、実施例１の構成について説明する。
【００２３】
図１は、実施例１の暖房システムを備えた建物１の概略構成を示している。
【００２４】
まず、このような建物１は、基礎断熱として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００２５】
そして、この天井部１ｅと外壁部１ｄとに囲まれる空間は、床としての床部１ａによって床下空間４と居室などの床上空間５とが区切られている。この床部１ａは、特に床下空間４側からの床下暖房を考慮して、床下空間４と床上空間５との間の熱の伝達を許容し、断熱材が貼り付けられていない構成となっている。
【００２６】
また、側壁コンクリート１ｃの床下空間４側には、グラスウールなどの基礎断熱材１０が貼り付けられており、床下空間４内の暖気の熱が屋外に極力漏れない断熱構造となっている。
【００２７】
そして、実施例１の暖房システムは、床下空間４に床下暖房手段及び床上暖房手段としてのエアコンディショナの屋内機３が設置されている。
【００２８】
ここで、このエアコンディショナは、ヒートポンプ式であり、屋内機３は、屋外に設置された屋外機２と接続されている。
【００２９】
また、エアコンディショナの屋内機３の内部には、屋外機２に繋がっている熱媒循環管路２１が接続されている。
【００３０】
さらに、このエアコンディショナの屋内機３は、吸込部３１と床上用吹出部３２と床下用吹出部３３とを有している。
【００３１】
また、このエアコンディショナの屋内機３には、床上用吹出部３２及び床下用吹出部３３から空気を様々な強さで吹き出させることが可能なファン（図示せず）が内蔵されている。
【００３２】
さらに、床上用吹出部３２と床下用吹出部３３とには、電動ダンパーなどから成る開閉弁３２ａ，３３ａがそれぞれ設けられている。
【００３３】
また、床部１ａには、グリル付きの排気口６と２種類の給気口７，９とが設けられている。
【００３４】
ここで、給気口７は、ダクト８２により、エアコンディショナの屋内機３の床上用吹出部３２と接続されており、給気口７とは別の給気口９は、ダクトを介さず、床下空間４と直接連通している。
【００３５】
そして、エアコンディショナの屋内機３の吸込部３１と排気口６との間がダクト８１で接続されている。
【００３６】
また、床上空間５内には、温度センサー１２と、所望の運転制御に設定するためのコントローラ１３が設置されている。
【００３７】
さらに、このコントローラ１３内には、制御手段としての中央制御装置１１が内蔵されている。
【００３８】
この実施例１の暖房システム内には、運転制御装置が組み込まれており、この運転制御装置は、図２に示したように、床上空間５内に設置された温度センサー１２と、コントローラ１３内に内蔵された制御手段としての中央制御装置１１とで主に構成されている。
【００３９】
ここで、温度センサー１２は、有線又は無線で、中央制御装置１１と接続されており、検知した床上空間５の温度のデータを、中央制御装置１１へ送信可能とされている。
【００４０】
また、中央制御装置１１は、有線又は無線で、エアコンディショナの屋内機３と接続されており、エアコンディショナの屋内機３の床下暖房手段と床上暖房手段との放熱量を調整可能とされている。
【００４１】
ここでの床下暖房手段とは、床下空間４に放熱して間接的に床上空間５を暖房するエアコンディショナの屋内機３の暖房性能のことをいう。
【００４２】
すなわち、エアコンディショナの屋内機３の床上用吹出部３２の開閉弁３２ａを閉状態とし、床下用吹出部３３の開閉弁３３ａは開状態とする。
【００４３】
そして、エアコンディショナの屋内機３を稼動させると、図３に示したように、床下空間４が即座に暖められ、その熱が主に床部１ａを介して床上空間５へ伝達され、床上空間５が均一にムラなく暖まる所謂床下暖房が行われる。
【００４４】
また、ここでの床上暖房手段とは、床上空間５に直接放熱して暖房するエアコンディショナの屋内機３の暖房性能のことをいう。
【００４５】
すなわち、エアコンディショナの屋内機３の床上用吹出部３２の開閉弁３２ａを開状態とし、床下用吹出部３３の開閉弁３３ａは閉状態とする。
【００４６】
そして、エアコンディショナの屋内機３を稼動させると、図４に示したように、床上空間５のみで暖気が対流して、床上空間５が即座に暖まる所謂床上暖房が行われる。
【００４７】
さらに、エアコンディショナの屋内機３の床下暖房手段と床上暖房手段との双方を稼動させるには、エアコンディショナの屋内機３の床上用吹出部３２の開閉弁３２ａを開状態とし、床下用吹出部３３の開閉弁３３ａも開状態とする。
【００４８】
そして、エアコンディショナの屋内機３を稼動させると、図５に示したように、床上空間５のみで暖気が対流して床上空間５を即座に暖める床上暖房と、床下空間４の熱が主に床部１ａを介して床上空間５へ伝達され、床上空間５を均一にムラなく暖める床下暖房とで、床上空間５が即座に且つ均一にムラなく暖まる。
【００４９】
この実施例１の暖房システムの運転制御装置は、床上空間５の目標時刻での目標温度値が制御手段としての中央制御装置１１に入力されると、中央制御装置１１は、目標時刻の所定時間前から、温度センサー１２により検知した床上空間５の温度のデータに基づいて、床下暖房手段と床上暖房手段とを、所定の放熱量に調整して稼動させて、目標時刻には、床上空間５が略目標温度値となる制御を行う構成とされている。
【００５０】
ここで、実施例１の暖房システムにおける床下暖房手段と床上暖房手段との放熱量は、初めに床上暖房手段による放熱量を、床下暖房手段による放熱量より大きくし、徐々に上昇する温度センサー１２により検知した床上空間５の温度のデータに基づいて、段階的に床上暖房手段による放熱量を小さくしていくとともに、床下暖房手段による放熱量を大きくしていく制御を行う。
【００５１】
次に、この実施例１の暖房システムの運転制御装置による運転制御の具体例について説明する。
【００５２】
ここで、ＬＤＫ１室（約３０ｍ２）で、Ｑ値が約２．０Ｗ／ｍ２Ｋの住宅において、東京の１月における標準的な外気温Ｔ０が約２℃を想定し、目標時刻を午前７時００分に設定し、目標温度値を２２℃に設定して各運転制御についてシミュレーションを行ったところ、図６に示したグラフが得られた。
【００５３】
まず、この実施例１の暖房システムの運転制御装置による運転制御を行った場合について図７をもとに説明する。
【００５４】
まず、床上空間５内の温度のデータＴが約１１℃のところから、午前５時００分に、エアコンディショナの屋内機３の床上暖房手段による即効性を有する床上暖房のみを稼動させ、床下暖房手段による床下暖房は稼動させず、床上暖房手段による放熱量Ｈ１と床下暖房手段による放熱量Ｈ２との比率を、１００：０とする（ステップＳ１）。
【００５５】
そして、床上空間５内の温度のデータＴが２０℃未満の間は、床上暖房手段による放熱量Ｈ１と床下暖房手段による放熱量Ｈ２との比率を、１００：０としたステップＳ１の状態を維持し、温度のデータＴが２０℃以上になると、ステップ３の状態に移行させる（ステップＳ２）。
【００５６】
このステップＳ３では、エアコンディショナの屋内機３の床上暖房手段による放熱量Ｈ１と床下暖房手段による放熱量Ｈ２との比率を、７０：３０とする。
【００５７】
そして、床上空間５内の温度のデータＴが２１℃未満の間は、床上暖房手段による放熱量Ｈ１と床下暖房手段による放熱量Ｈ２との比率を、７０：３０としたステップＳ３の状態を維持し、温度のデータＴが２１℃以上になると、ステップＳ５の状態に移行させる（ステップＳ４）。
【００５８】
このステップＳ５では、エアコンディショナの屋内機３の床上暖房手段による放熱量Ｈ１と床下暖房手段による放熱量Ｈ２との比率を、３０：７０とする。
【００５９】
そして、床上空間５内の温度のデータＴが２２℃未満の間は、床上暖房手段による放熱量Ｈ１と床下暖房手段による放熱量Ｈ２との比率を、３０：７０としたステップＳ５の状態を維持し、温度のデータＴが２２℃以上になると、ステップＳ７の状態に移行させる（ステップＳ６）。
【００６０】
このステップＳ７では、エアコンディショナの屋内機３の床下暖房手段による床下暖房のみを稼動させ、床上暖房手段による即効性を有する床上暖房は稼動させず、床上暖房手段による放熱量Ｈ１と床下暖房手段による放熱量Ｈ２との比率を、０：１００とする。
【００６１】
このようにすることで、図６に示したように、床上空間５内の温度Ｔ１は、午前６時００分には、２０℃を超え、居住者にとって不快でない環境となり、午前６時２０分には、２１℃となり、床部１ａの温度Ｔ２も同じ２１℃となって、居住者にとって快適な環境となる。
【００６２】
そして、目標時刻の午前７時００分には、床上空間５内の温度Ｔ１は、目標温度値の２２℃に達しているとともに、床部１ａの温度Ｔ２はこれよりも上昇した温度となり、居住者にとって最も快適な頭寒足熱の環境となる。
【００６３】
これに対して、床上暖房手段による即効性を有する床上暖房のみを稼動させた場合、床上空間５内の温度Ｔ３は、午前６時１０分には、目標温度値の２２℃に達するものの、床部１ａの温度Ｔ４は、目標時刻の午前７時００分になっても、これを下回っており、居住者にとって最も快適な頭寒足熱の環境とはならない。
【００６４】
また、床下暖房手段による床下暖房のみを稼動させた場合、目標時刻の午前７時００分には、床部１ａの温度Ｔ６は、２１℃に達しているものの、床上空間５内の温度Ｔ５は、１５℃にしかなっておらず、居住者にとって不快な環境である。
【００６５】
すなわち、このシミュレーションの結果から、実施例１の暖房システムの運転制御装置による運転制御が居住者にとって最適な快適感を与える点で優れていることが確認できた。
【００６６】
次に、実施例１の作用効果について説明する。
【００６７】
このような実施例１の暖房システムの運転制御装置は、建物１の床下空間４に放熱して間接的に床上空間５を暖房する床下暖房手段、及び建物１の床上空間５に直接放熱して暖房する床上暖房手段としてのエアコンディショナの屋内機３を備えた暖房システムの運転制御装置である。
【００６８】
この実施例１の暖房システムの運転制御装置は、床上空間５内の温度を検知する温度センサー１２と、エアコンディショナの屋内機３の床下暖房手段と床上暖房手段との放熱量を調整可能な制御手段としての中央制御装置１１とを備えている。
【００６９】
そして、床上空間５の目標温度値が中央制御装置１１に入力されると、中央制御装置１１は、温度センサー１２により検知した床上空間５の温度のデータＴに基づいて、床下暖房手段と床上暖房手段とを、所定の放熱量に調整して稼動させて、床上空間５が略目標温度値となる制御を行う構成とされている。
【００７０】
このような構成なので、床上空間５が目標温度値になるまでの間、無駄なエネルギー消費を抑えたうえで、居住者に最適な快適感を与えるように、時間的及び空間的にバランスのとれた暖房の運転制御を行うことができる。
【００７１】
ここで、実施例１の暖房システムにおける床下暖房手段と床上暖房手段との放熱量Ｈ１とＨ２とは、初めに床上暖房手段による放熱量Ｈ１を、床下暖房手段による放熱量Ｈ２より大きくする。
【００７２】
そして、徐々に上昇する温度センサー１２により検知した床上空間５の温度のデータＴに基づいて、段階的に床上暖房手段による放熱量Ｈ１を小さくしていくとともに、床下暖房手段による放熱量Ｈ２を大きくしていく制御を行う。
【００７３】
このため、上記した時間的及び空間的にバランスのとれた暖房の運転制御を、より効率的に行うことができる。
【００７４】
また、制御手段としての中央制御装置１１は、目標時刻を入力すると、この目標時刻において、床上空間５が略目標温度値となる制御を行う。
【００７５】
このため、所望の目標時刻に、床上空間５を、居住者にとって最適な環境とすることができる。
【００７６】
このような実施例１の暖房システムは、実施例１の暖房システムの運転制御装置を備えた構成とされているので、上記したように、時間的及び空間的にバランスのとれた暖房の運転制御が行える暖房システムとすることができる。
【００７７】
このような実施例１の建物１は、実施例１の暖房システムを備えた構成とされているので、上記したように、居住者に最適な快適感を与えるように、時間的及び空間的にバランスのとれた暖房が行える建物とすることができる。
【実施例２】
【００７８】
次に、実施例２について説明する。
【００７９】
なお、実施例１で説明した内容と同一乃至均等な部分の説明については同一符号を付して説明する。
【００８０】
図８は、実施例２の暖房システムを備えた建物１Ａの概略構成を示している。
【００８１】
この実施例２の建物１Ａでは、中間壁１ｆと２階部分の床部１ｇとが設けられており、床上空間５が、１階部分の空間５１と２階部分の空間５２と吹き抜け空間５３とに区画されていることが実施例１の建物１と主に異なる。
【００８２】
この実施例２の暖房システムでは、床下暖房手段及び床上暖房手段としてのエアコンディショナの屋内機３０に、電動ダンパーなどから成る開閉弁３４ａが設けられた２階用吹出部３４が追加して設けられている。
【００８３】
また、２階部分の床部１ｇには、２つの給気口７０，７０が設けられており、これらの給気口７０，７０とエアコンディショナの屋内機３０の２階用吹出部３４との間が、中間壁１ｆ内及び床部１ｇ内を通ったダクト８３で接続されている。
【００８４】
さらに、エアコンディショナの屋内機３０には、床上用吹出部３２及び床下用吹出部３３並びに２階用吹出部３４から空気を様々な強さで吹き出させることが可能なファン（図示せず）が内蔵されている。
【００８５】
また、２階部分の空間５２には、所望の運転パターンに設定するためのコントローラ１３Ａが設けられている。
【００８６】
次に、実施例２の暖房システムの２階部分の空間５２の暖房を行うときの運転制御について説明する。
【００８７】
２階部分の空間５２を、暖房で暖めたいときは、エアコンディショナの屋内機３０の２階用吹出部３４の開閉弁３４ａを開状態とし、床下用吹出部３３の開閉弁３３ａは閉状態とする。
【００８８】
そして、エアコンディショナの屋内機３０を稼動させると、図９に示したように、２階部分の空間５２から吹き抜け空間５３へ中間壁１ｆに設けられたドア（図示せず）の隙間や階段（図示せず）などを介して暖気が対流して、２階部分の空間５２が暖まる。
【００８９】
ここで、給気口７０，７０には、ガラリ（図示せず）が設けられており、好みに応じて、コントローラ１３Ａによる自動又は手動により、このガラリの傾斜を変化させて、風向きを変えたり、給気口７０，７０の片方を閉じたりすることもできる。
【００９０】
なお、１階部分の空間５１の暖房を行うときの運転制御については、実施例１で説明したとおりである。
【００９１】
ここで、１階部分の空間５１と吹き抜け空間５３との間の空気の対流は、中間壁１ｆに設けられたドア（図示せず）の隙間などから十分に可能である。
【００９２】
すなわち、実施例２では、２階部分の空間５２の暖房も行えることが、実施例１と異なり、他の構成及び作用効果については、実施例１と略同様であるので説明を省略する。
【実施例３】
【００９３】
次に、実施例３について説明する。
【００９４】
なお、実施例１，２で説明した内容と同一乃至均等な部分の説明については同一符号を付して説明する。
【００９５】
図１０は、実施例３の暖房システムを備えた建物１Ｂの概略構成を示している。
【００９６】
この実施例３の建物１Ｂでは、１階部分の空間５１が、リビング・ダイニング・キッチンルームなどに用いられる第１の居室空間５１Ａと、ホールや廊下などに用いられる非居室空間５１Ｂと、寝室や居間などに用いられる第２の居室空間５１Ｃとから成る。
【００９７】
また、床下暖房手段及び床上暖房手段としてのエアコンディショナの屋内機３０Ａは、吸込部３１が４つ設けられており、第１の居室空間５１Ａと非居室空間５１Ｂとの床部１ａに２つずつ設けられた排気口６，・・・とダクト８１を介してそれぞれ接続されている。
【００９８】
さらに、電動ダンパーなどから成る開閉弁３２ａが設けられた床上用吹出部３２は、ダクト８２に接続され、２分岐チャンバ３２１を介して、ダクト８２Ａ，８２Ａに接続され、さらに２分岐チャンバ３２２を介して、ダクト８２Ｂ，・・・が第１の居室空間５１Ａの床部１ａに４つ設けられた給気口７，・・・にそれぞれ接続されている。
【００９９】
また、電動ダンパーなどから成る開閉弁３３ａが設けられた床下用吹出部３３は、ダクト８４に接続され、２分岐チャンバ３３１を介して、ダクト８４Ａ，８４Ａがそれぞれ接続されている。
【０１００】
そして、一方のダクト８４Ａの先端には、分岐チャンバとしての６分岐チャンバ３３２が接続されており、この６分岐チャンバ３３２は、第１の居室空間５１Ａの略中央の下方の床下空間４に配設されている。
【０１０１】
他方のダクト８４Ａの先端には、分岐チャンバとしての２分岐チャンバ３３３が接続されており、この２分岐チャンバ３３３は、非居室空間５１Ｂの略中央、つまりは１階部分の空間５１の略中央の下方の床下空間４に配設されている。
【０１０２】
そのうえで、第１の居室空間５１Ａの床部１ａには、２つのダクトを介さない別の給気口９が設けられており、非居室空間５１Ｂと第２の居室空間５１Ｃの床部１ａには、１つのダクトを介さない別の給気口９がそれぞれ設けられている。
【０１０３】
さらに、電動ダンパーなどから成る開閉弁３４ａが設けられた２階用吹出部３４は、ダクト８３が接続され、２分岐チャンバ３４１を介して、ダクト８３Ａ，８３Ａが接続され、さらに２分岐チャンバ３４２を介して、ダクト８３Ｂ，・・・が接続されている。
【０１０４】
そして、ダクト８３Ｂ，・・・は、中間壁１ｆ内を通して、図示を省略した２階部分の空間５２の床部１ｇに設けられた給気口７０，・・・に接続されている。
【０１０５】
すなわち、人が多く集まるリビング・ダイニング・キッチンルームなどに用いられる第１の居室空間５１Ａでは、給気口７，・・・が設けられているため、エアコンディショナの屋内機３０Ａの床上暖房手段による即効性を有する暖房を効率的に行うことができる。
【０１０６】
また、第１の居室空間５１Ａは、その略中央の下方の床下空間４に、床下用吹出部３３から接続されている分岐チャンバとしての６分岐チャンバ３３２が設けられているので、床下空間４の多方向に暖気を吹き出すことができるため、エアコンディショナの屋内機３０Ａの床下暖房手段による床下暖房を効率的に行うこともできる。
【０１０７】
さらに、床下用吹出部３３から接続されている分岐チャンバとしての２分岐チャンバ３３３が、非居室空間５１Ｂの略中央、つまりは１階部分の空間５１の略中央の下方の床下空間４に設けられているとともに、ダクトを介さない別の給気口９が１階部分の空間５１の外周部近傍に略均等に設けられているので、床下空間４の多方向に暖気を吹き出すことができるため、非居室空間５１Ｂを含めた１階部分の空間５１全体のエアコンディショナの屋内機３０Ａの床下暖房手段による床下暖房を効率的に行うことができる。
【０１０８】
すなわち、居室空間５１Ａ，５１Ｃと非居室空間５１Ｂとの温度差を小さくし、ヒートショックを防止することができる。
【０１０９】
なお、他の構成及び作用効果については、実施例１，２と略同様であるので説明を省略する。
【実施例４】
【０１１０】
次に、実施例４について説明する。
【０１１１】
なお、実施例１で説明した内容と同一乃至均等な部分の説明については同一符号を付して説明する。
【０１１２】
図１１は、実施例４の暖房システムを備えた建物１Ｃの概略構成を示している。
【０１１３】
この実施例４の建物１Ｃでは、排気口６と床下暖房手段及び床上暖房手段としてのエアコンディショナの屋内機３の吸込部３１との間が、ダクト８１で接続されていないことが実施例１の建物１と主に異なる。
【０１１４】
このため、エアコンディショナの屋内機３の設置位置の自由度が向上するうえに、ダクト８１を省略できる分、経済的に実施できる。
【０１１５】
なお、他の構成及び作用効果については、実施例１と略同様であるので説明を省略する。
【実施例５】
【０１１６】
次に、実施例５について説明する。
【０１１７】
なお、実施例１で説明した内容と同一乃至均等な部分の説明については同一符号を付して説明する。
【０１１８】
図１２は、実施例５の暖房システムを備えた建物１Ｄの概略構成を示している。
【０１１９】
この実施例５の建物１Ｄでは、床下暖房手段及び床上暖房手段としてのエアコンディショナの屋内機３に床下用吸込部３１Ａが設けられており、床部１ａには、ダクトを介さない別の給気口９が設けられていないことが実施例１の建物１と主に異なる。
【０１２０】
すなわち、床上空間５を、エアコンディショナの屋内機３の床下暖房手段による床下暖房で暖めたいときは、暖気は、エアコンディショナの屋内機３の床下用吹出部３３から吹出され、床下用吸込部３１Ａへ吸込まれる床下空間４内のみで対流するので、ダクトを介さない別の給気口９は不要となる。
【０１２１】
このため、ダクトを介さない別の給気口９を設けないで済む分、床上空間５の意匠的外観を向上させることができる。
【０１２２】
なお、他の構成及び作用効果については、実施例１と略同様であるので説明を省略する。
【０１２３】
以上、図面を参照して、本発明を実施するための形態を実施例１〜５に基づいて詳述してきたが、具体的な構成は、これらの実施例１〜５に限らず、本発明の要旨を逸脱しない程度の設計的変更は、本発明に含まれる。
【０１２４】
例えば、実施例１〜５では、床下暖房手段と床上暖房手段の双方の機能を備えたエアコンディショナの屋内機３，３０，３０Ａを用いて実施したが、これに限定されず、床下暖房手段と床上暖房手段の機能を個別に有するものを用いて実施してもよい。
【０１２５】
また、実施例１〜５では、床下暖房手段及び床上暖房手段としてのエアコンディショナの屋内機３，３０，３０Ａを床下空間４に設置して実施したが、これに限定されず、床上空間５に設置して実施してもよい。
【０１２６】
さらに、実施例１〜５では、エアコンディショナの屋内機３，３０，３０Ａが、暖房のみを行えるものとして実施したが、これに限定されず、冷房も行えるようにして実施してもよい。
【０１２７】
また、実施例１の暖房システムの運転制御装置による運転制御の具体例では、暖房システムの運転制御を行う判断の基準温度を３つ設定し、４段階の運転制御パターンで実施したが、これに限定されない。
【０１２８】
さらに、実施例１の暖房システムの運転制御装置による運転制御では、段階的に床上暖房手段による放熱量Ｈ１に対する床下暖房手段による放熱量Ｈ２を大きくしていく制御を行って実施したが、これに限定されない。
【０１２９】
すなわち、連続的に床上暖房手段による放熱量Ｈ１に対する床下暖房手段による放熱量Ｈ２を大きくしていく制御を行って実施してもよい。
【０１３０】
また、実施例１〜５では、温度センサー１２を、床上空間５内に設けて実施したが、これに限定されない。
【０１３１】
例えば、実施例１〜４では、温度センサー１２をダクト８１内に設けて実施してもよい。
【符号の説明】
【０１３２】
１      建物
１Ａ    建物
１Ｂ    建物
１Ｃ    建物
１Ｄ    建物
１ａ    床部（床）
２      エアコンディショナの屋外機
３      エアコンディショナの屋内機（床下暖房手段及び床上暖房手段）
３０    エアコンディショナの屋内機（床下暖房手段及び床上暖房手段）
３０Ａ  エアコンディショナの屋内機（床下暖房手段及び床上暖房手段）
４      床下空間
５      床上空間
１１    中央制御装置（制御手段）
１２    温度センサー
Ｔ      温度のデータ
Ｈ１    床上暖房手段による放熱量
Ｈ２    床下暖房手段による放熱量
【図１】
2011012933.tif 000003
【図２】
2011012933.tif 000004
【図３】
2011012933.tif 000005
【図４】
2011012933.tif 000006
【図５】
2011012933.tif 000007
【図６】
2011012933.tif 000008
【図７】
2011012933.tif 000009
【図８】
2011012933.tif 000010
【図９】
2011012933.tif 000011
【図１０】
2011012933.tif 000012
【図１１】
2011012933.tif 000013
【図１２】
2011012933.tif 000014
【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
建物の床下空間に放熱して間接的に床上空間を暖房する床下暖房手段と、前記建物の前記床上空間に直接放熱して暖房する床上暖房手段とを備えた暖房システムの運転制御装置であって、
前記床上空間内の温度を検知する温度センサーと、前記床下暖房手段と前記床上暖房手段との放熱量を調整可能な制御手段とを備えており、
前記床上空間の目標温度値が前記制御手段に入力されると、前記制御手段は、前記温度センサーにより検知した前記床上空間の温度に基づいて、前記床下暖房手段と前記床上暖房手段とを、所定の放熱量に調整して稼動させて、前記床上空間が略前記目標温度値となる制御を行うとともに、
前記暖房システムにおける前記床下暖房手段と前記床上暖房手段との放熱量は、初めに前記床上暖房手段による放熱量を、前記床下暖房手段による放熱量より大きくし、徐々に上昇する前記温度センサーにより検知した前記床上空間の温度に基づいて、前記床上暖房手段による放熱量を小さくしていくとともに、前記床下暖房手段による放熱量を大きくしていく制御を行うことを特徴とする暖房システムの運転制御装置。
【請求項２】
前記床下暖房手段と前記床上暖房手段とは、共通のエアコンディショナの屋内機が備えていることを特徴とする請求項１に記載の暖房システムの運転制御装置。
【請求項３】
前記制御手段は、目標時刻を入力すると、該目標時刻において、前記床上空間が略前記目標温度値となる制御を行うことを特徴とする請求項１又は２に記載の暖房システムの運転制御装置。
【請求項４】
請求項１乃至３のいずれか１項に記載の暖房システムの運転制御装置を備えていることを特徴とする暖房システム。
【請求項５】
請求項４に記載の暖房システムを備えていることを特徴とする建物。
【手続補正２】
【補正対象書類名】明細書
【補正対象項目名】０００９
【補正方法】変更
【補正の内容】
【０００９】
ここで、前記暖房システムにおける前記床下暖房手段と前記床上暖房手段との放熱量は、初めに前記床上暖房手段による放熱量を、前記床下暖房手段による放熱量より大きくし、徐々に上昇する前記温度センサーにより検知した前記床上空間の温度に基づいて、前記床上暖房手段による放熱量を小さくしていくとともに、前記床下暖房手段による放熱量を大きくしていく制御を行うとよい。
また、前記制御手段は、目標時刻を入力すると、該目標時刻において、前記床上空間が略前記目標温度値となる制御を行う。
また、前記床下暖房手段と前記床上暖房手段とは、共通のエアコンディショナの屋内機が備えているとよい。
【手続補正３】
【補正対象書類名】明細書
【補正対象項目名】００１６
【補正方法】変更
【補正の内容】
【００１６】
ここで、暖房システムにおける床下暖房手段と床上暖房手段との放熱量は、初めに床上暖房手段による放熱量を、床下暖房手段による放熱量より大きくし、徐々に上昇する温度センサーにより検知した床上空間の温度に基づいて、床上暖房手段による放熱量を小さくしていくとともに、床下暖房手段による放熱量を大きくしていく制御を行う。このため、上記した時間的及び空間的にバランスのとれた暖房の運転制御を、より効率的に行うことができる。